(57)【要約】【課題】耐久性を有する簡便な装置構成により光源から光が漏れる可能性を判断して光源を遮断し、安全性を向上させることができるプロジェクタを提供すること。【解決手段】本発明は、投射用に光を出力する光源部（２）と、光源部（２）からの光が入射される投射用のレンズ部（４）を有するプロジェクタ（１）であって、本体に設けられ重量の変化を検出する重量検出部（G）と、重量検出部（G）の出力値から本体の重量の変化を監視して予め設定された基準に基づいて光源部（２）から外部に前記光が漏れると判断した場合に光源部（２）を停止する制御部（３）と、を有するプロジェクタ（１）である。【選択図】図２
2018028613.tif 000002
【特許請求の範囲】
【請求項１】
投射用に光を出力する光源部と、前記光源部からの光が入射される投射用のレンズを有するレンズ部を有するプロジェクタであって、
外装を有する本体に設けられ重量の変化を検出する重量検出部と、
前記重量検出部の出力値から前記本体の重量の変化を監視して予め設定された基準に基づいて前記光源部から外部に前記光が漏れると判断した場合に前記光源部を停止する制御部と、
を有するプロジェクタ。
【請求項２】
前記重量検出部は、前記レンズ部の重量を検出する第１の重量センサと前記本体の重量を検出する第２の重量センサとを有し、
前記制御部は、前記第１の重量センサの出力と前記第２の重量センサの出力とに基づいて前記レンズ部に装着される前記レンズの有無を検出し、前記レンズが装着されていないと判断した場合に前記光源部を停止する、
請求項１に記載のプロジェクタ。
【請求項３】
前記制御部は、使用状態における前記レンズ部の重量値から予め記憶されている前記レンズが装着される前の前記レンズ部の重量値を引いた値から前記レンズの重量を検出し、予め定められた基準に基づいて前記レンズの有無を判断する、
請求項１又は２に記載のプロジェクタ。
【請求項４】
前記制御部は、前記第１の重量センサの出力と前記第２の重量センサの出力とに基づいて前記本体に装着される外装の有無を検出し、前記外装が無いと判断した場合に前記光源部を停止する、
請求項２に記載のプロジェクタ。
【請求項５】
前記制御部は、前記レンズが装着されていると判断した場合に、予め記憶されている前記レンズが装着されていない状態の全体の重量と前記レンズの重量を加えた値が前記本体の現在の重量の値より少ないと判断した場合は前記外装が無いと判断する、
請求項１から４のいずれかに記載のプロジェクタ。
【請求項６】
前記重量検出部は、前記外装を個別に検出する第３の重量センサをさらに有し、
前記制御部は、前記第３の重量センサの出力に基づいて前記外装の有無を判断し、前記外装が無いと判断した場合に前記光源部を停止する、
請求項１又は２に記載のプロジェクタ。
【請求項７】
前記制御部は、前記第２の重量センサの出力に基づく値が予め定められた値以下の場合に前記光源部の動作を継続する、
請求項２に記載のプロジェクタ。
【請求項８】
投射用に光を出力する光源部と、前記光源部からの光が入射される投射用のレンズ部を有するプロジェクタの動作処理をコンピュータに実行させる制御方法であって、
本体に設けられた重量検出部から前記本体の重量の変化を検出しと、
前記重量検出部の出力値から前記本体の重量の変化を監視して予め設定された基準に基づいて前記光源部から外部に前記光が漏れると判断した場合に前記光源部を停止する、
処理工程を有するプロジェクタの制御方法。
【発明の詳細な説明】
【技術分野】
【０００１】
本発明は、作業中の状態を監視して光源を遮断するプロジェクタ及びその制御方法に関する。
【背景技術】
【０００２】
映像を投射するプロジェクタ（投射装置）にはレンズを交換できる機能を有するモデルがある。このようなモデルには光源として、レーザ光源が用いられる場合がある。レーザ光源を用いたプロジェクタは、光源からの漏れ光が装置周辺にいる使用者等に直接の害をなさないようにするため、様々な安全機能が施されている。レンズが交換可能なプロジェクタのモデルにおいては、レンズの取り外しにより漏れ光が外部に漏れてしまうため、レンズが取り外されているかどうかを検出する必要がある。
【０００３】
しかし、このようなモデルでは、レンズの開発には時間とコストがかかるため、レンズを新規開発することなく、既存のレンズを装着できるように光学エンジンが設計されている。そのため安全保護装置に関しては、新規にレンズ部にレンズの装着の有無を検出する装置を設けることが困難となる。また、プロジェクタはレンズ交換以外に外装のＴＯＰカバーなどが外される場合がある。この状態でもプロジェクタは電源が投入され、光源を点灯させることができるため、光源からの漏れ光が発生する虞がある。
【先行技術文献】
【特許文献】
【０００４】
【特許文献１】特開２００６−２５９５５０号公報
【発明の概要】
【発明が解決しようとする課題】
【０００５】
プロジェクタにレンズが装着されているかどうかを検出する技術に関して、特開２００６−２５９５５０号公報に記載されたプロジェクタがある。このプロジェクタは、筐体部に対して回転させて取り付けるレンズ部と、レンズ部を検出するためのメカニカルスイッチとを有している。このプロジェクタでは、レンズ部の取り付け部分に突起が設けられており、レンズ部を回転させて取り付ける際に該突起がメカニカルスイッチを押してスイッチを動作させレンズ部の有無を検出する。しかしながらメカニカルスイッチでは、物理的に接触してスイッチの開閉を行うため、振動、衝撃や傷等による引っかかり等によりスイッチが損耗し、あるいは破壊される虞がある。また、このプロジェクタでは、レンズ部に検出用の突起を設ける必要がある。
本発明は、耐久性を有する簡便な装置構成により光源から光が漏れる可能性を判断して光源を遮断し、安全性を向上させることができるプロジェクタ及びその制御方法を提供することを目的とする。
【課題を解決するための手段】
【０００６】
本発明に係るプロジェクタは、投射用に光を出力する光源部と、前記光源部からの光が入射される投射用のレンズ部を有し、
本体に設けられ重量の変化を検出する重量検出部と、
前記重量検出部の出力値から前記本体の重量の変化を監視して予め設定された基準に基づいて前記光源部から外部に前記光が漏れると判断した場合に前記光源部を停止する制御部と、
を有する。
【０００７】
本発明に係るプロジェクタの制御方法は、投射用に光を出力する光源部と、前記光源部からの光が入射される投射用のレンズ部を有するプロジェクタの動作処理をコンピュータに実行させる制御方法であって、
本体に設けられた重量検出部から前記本体の重量の変化を検出しと、
前記重量検出部の出力値から前記本体の重量の変化を監視して予め設定された基準に基づいて前記光源部から外部に前記光が漏れると判断した場合に前記光源部を停止する、
処理工程を有する。
【発明の効果】
【０００８】
本発明にかかるプロジェクタ及びその制御方法によると、耐久性を有する簡便な装置構成により光源から光が漏れる可能性を判断して光源を遮断し、安全性を向上させることができる。
【図面の簡単な説明】
【０００９】
【図１】第１実施形態にかかるプロジェクタの構成を示すブロック図である。
【図２】プロジェクタにおける重量検出部の構成を示すブロック図である。
【図３】プロジェクタが有するレンズ部の構成を示した図である。
【図４】プロジェクタの使用状態を示す図である。
【図５】プロジェクタの使用前に各重量データを測定する処理を示すフローチャートである。
【図６】プロジェクタの使用中の処理を示すフローチャートである。
【図７】第２実施形態にかかるプロジェクタが吊り下げられた使用状態を示す図である。
【図８】第３実施形態にかかるプロジェクタの使用状態を示す図である。
【図９】第４実施形態にかかるプロジェクタの使用状態を示す図である。
【図１０】第４実施形態において、プロジェクタの使用前に各重量データを測定する処理を示すフローチャートである。
【図１１】プロジェクタの使用中の処理を示すフローチャートである。
【発明を実施するための形態】
【００１０】
以下、図面を参照しつつ、本発明にかかるプロジェクタの実施形態について説明する。
［第１実施形態］
【００１１】
図１に示されるように、映像を投射するためのプロジェクタ１は、光源にレーザ光を用いた光源部２と、光源部２を制御するための制御部３と、映像を投射するレンズ部４とを有している。プロジェクタ１において、ＣＰＵ等で構成された制御部３は、ＵＩ部５から入力されたセット電源Ｏｆｆ／Ｏｎ信号により、光源部２に電源を供給する電源部６のＯｆｆ/Ｏｎの制御信号を出力するよう制御する。制御部３からの制御信号によって制御された電源部６は、電源を光源部２に供給し、光源を点灯させる。即ち、制御部３は、光源部２を動作又は停止させることができる。その他の構成は、プロジェクタにおける一般的な要素であり、ここでは説明を省略する。
【００１２】
図２に示されるように、プロジェクタ１には、プロジェクタ１本体に重量の変化を検出するための重量検出部Ｇが設けられている。重量検出部Ｇは、レンズ部４の重量を検出する第１の重量検出部１０と、本体部であるプロジェクタ１の全体の重量を検出する第２の重量検出部２０とを更に有する。
【００１３】
第１の重量検出部１０は、レンズ部４の重量を検出するためのレンズ重量検出部（第１の重量センサ）１１を有する。レンズ重量検出部１１は、例えば圧電素子からなり、レンズ部４の重量を電圧値として出力する。従ってレンズ重量検出部１１に電圧を加えると、重量に応じた電圧値を出力する。レンズ重量検出部１１には、出力値を増幅するための信号増幅部１２に接続されている。信号増幅部１２は、増幅された電圧値をデジタルデータ化するためのＡ／Ｄ変換部１３に接続されている。Ａ／Ｄ変換部１３は、制御部３に接続されている。Ａ／Ｄ変換部１３から出力されたデジタルデータ（第１の出力値）は、制御部３に入力される。
【００１４】
このような構成により、レンズ重量検出部１１には、レンズ部４の重量がかかり、レンズを交換した際の重量の変化によって素子の抵抗値が変化する。レンズ重量検出部１１から出力される電圧値は数十ｍＶの微小電圧である。そのため、この変化量ではＡ／Ｄ変換部１３での分解能に満たず、電圧変化を検出できない。従って、検出された電圧を数千倍に増幅するために信号増幅部１２にレンズ重量検出部１１から出力される電圧値を入力する。これにより、電圧値はＡ／Ｄ変換部１３でＡ／Ｄ変換され、デジタルデータ化されたデータ値を制御部３にあるＣＰＵ等で読み出すことによってレンズ部４の重量を検出することが可能となる。
【００１５】
第２の重量検出部２０は、プロジェクタ１のセット全体の重量を検出するセット重量検出部（第２の重量センサ）２１を有する。セット重量検出部２１には、信号増幅部２２が接続されている。信号増幅部２２には、Ａ／Ｄ変換部２３が接続されている。Ａ／Ｄ変換部２３には、制御部３が接続されている。第２の重量検出部２０の各構成の仕組みについては、第１の重量検出部１０の各構成と同様である。このような構成により、第２の重量検出部２０は、セット重量検出部２１により出力された微小電圧を信号増幅部２２によって増幅することができる。増幅された電圧はＡ／Ｄ変換部２３でＡ／Ｄ変換される。Ａ／Ｄ変換部２３から出力されたデジタルデータ（第２の出力値）は、制御部３に入力される。制御部３は、デジタル化されたデータ値を読み出して、プロジェクタ１のセット全体の重量を検出することができる。
【００１６】
制御部３は、第１の重量検出部１０及び第２の重量検出部２０即ち重量検出部Ｇの出力値からプロジェクタ１本体の重量の変化を監視する。制御部３は、上記のデジタル化された値を重量に変換することでそれぞれの部分の重量を知ることができる。制御部３は、この結果に基づいて予め定められた規定重量にならない場合、制御信号を出力し、光源部２に対し停止させるよう制御することができる。即ち、制御部３は、予め設定された基準に基づいて光源部２から外部に光が漏れると判断した場合に光源部２を遮断するよう構成されている。
【００１７】
図３には、第１の重量検出部１０が適用される具体的な装置構成が示されている。レンズ部４は、いずれかの交換用レンズ４ａ，４ｂ，４ｃと、交換用レンズを取り付けるためのレンズ取付部４ｇとを有する。レンズ取付部４ｇには、光源を含めた表示デバイスが内蔵されている。交換用レンズ４ａ，４ｂ，４ｃは取り外し可能であり、様々な種類のレンズに交換可能である。従って、取り付けられるいずれかの交換用レンズ４ａ，４ｂ，４ｃの種類によってレンズ部４の重量が変化する。
【００１８】
レンズ部４は、いずれかの交換用レンズ４ａ，４ｂ，４ｃと光源及び表示デバイスを含めたレンズ取付部４ｇとを含むものである。レンズ部４の下面側にはレンズ部４全体の重量を検出するためのレンズ重量検出部１１が取り付けられている。レンズ重量検出部１１は、プロジェクタ１の内部で支持されている。これによりレンズ重量検出部１１は、レンズ部４全体の重量を測定し、いずれかの交換用レンズ４ａ，４ｂ，４ｃが取り付けられた状態又は取り外された状態を検出する。
【００１９】
図４には、レンズ取付部４ｇが外装である筐体Ｃの内部に取り付けられた状態のプロジェクタ１が示されている。図４（ａ）は、プロジェクタ１の側面図が示されている。図４（ｂ）は、プロジェクタ１の正面図が示されている。プロジェクタ１の底面側にはセット重量検出部２１が取り付けられている。セット重量検出部２１はまた、床面Ｅに固定されたセット固定用台座Ｍに支持されている。筐体Ｃの上面を覆うＴＯＰカバーＣ１は、筐体Ｃの上面側から脱着可能である。このような構成により、セット重量検出部２１には、ＴＯＰカバーＣ１を含めたプロジェクタ１の全体の重量が圧縮方向にかかる。従って、ＴＯＰカバーＣ１が外された場合、セット重量検出部２１は、ＴＯＰカバーＣ１が除かれたプロジェクタ１の重量を測定することが可能である。
【００２０】
次に、本発明にかかるプロジェクタ１の動作について説明する。
【００２１】
図５に示されるように、プロジェクタ１において、制御のための初期状態を保存するための処理が実行される。ＵＩ部５からデータ取り込み用のトリガ入力がある場合（Ｓ１００）、例えば、キーコンビネーション等のキー入力により、本フローチャートの処理を実行する状態にできる。この処理は、交換用レンズ４ａ，４ｂ，４ｃが取り外された状態で実行される。またこの処理は、プロジェクタ１のＴＯＰカバーＣ１が取り付けられた状態で実行される。
【００２２】
第１の重量検出部１０は、交換用レンズ４ａ，４ｂ，４ｃが未装着の重量、つまり光学エンジン（レンズ取付部４ｇ）のみの重量を検出し、制御部３にデータを出力する（Ｓ１０１）。制御部３は、該データの値を交換用レンズ４ａ，４ｂ，４ｃ装着前のレンズ取付部４ｇの初期データ：Ｗ１としてメモリ等に記憶する（Ｓ１０２）。第２の重量検出部２０は、ＴＯＰカバーＣ１が取り付けられた状態のプロジェクタ１の全体の重量を検出し、制御部３にデータを出力する（Ｓ１０３）。制御部３は、レンズが装着されていないプロジェクタ１の全体の重量をセット重量の初期データ：Ｗ２としてメモリ等に保存する（Ｓ１０４）。それぞれのデータが保存された後、初期状態を保存する上記処理は終了する。次に、プロジェクタ１で常に実行される処理について説明する。
【００２３】
図６に示されるように、以下の処理はプロジェクタ１の通常状態において、いずれかの交換用レンズ４ａ，４ｂ，４ｃが装着された状態で実行される。第１の重量検出部１０は、いずれかの交換用レンズ４ａ，４ｂ，４ｃが装着されたレンズ部４の総重量値：ＬＷを測定する（Ｓ２００）。制御部３は、ＬＷとレンズ取付部４ｇの初期データ（レンズ部４の初期データ）：Ｗ１とを比較する（Ｓ２０１）。ＬＷがＷ１以下の場合（Ｓ２０１：Ｎｏ）、制御部３はレンズ装着が無いと判断し、光源部２から外部に光が漏れる虞があるため以降エラー制御処理として光源部２に対して制御信号を送信し停止させる。
【００２４】
レンズ取付部４ｇにいずれかの交換用レンズ４ａ，４ｂ，４ｃが装着されている場合（Ｓ２０１：Ｙｅｓ）、初期データ：Ｗ１より大きな値になるため、制御部３は、レンズが装着されているものと判断し、以下に続く処理を実行する。制御部３は、予め定められたいずれかの交換用レンズ４ａ，４ｂ，４ｃの重量の値に基づいてＬＷが想定されるレンズが装着されている重量の範囲内かどうかを判断する（Ｓ２０２）。即ち、制御部３は、ＬＷからＷ１を引いた値ＬＷ−Ｗ１がいずれかの交換用レンズ４ａ，４ｂ，４ｃの重量の範囲内かどうかを判断する。
【００２５】
例えば、交換用レンズ４ａが８００ｇ、交換用レンズ４ｂが１．２ｋｇ、交換用レンズ４ｃが２．５ｋｇであると事前に分かっているものとする（図３参照）。この場合において、８００ｇ、１．２ｋｇ、２．５ｋｇの重量に対し、それぞれのレンズにおけるばらつきの誤差の範囲を１００ｇと予め定めておく。レンズの重量は、例えばＯＳＤ（On-screen display）によって設定してもよいし、レンズの情報などにひも付された情報から限定してもよい。
【００２６】
この条件において制御部３は、７００ｇ〜９００ｇ、１．１ｋｇ〜１．３ｋｇ、２．４ｋｇ〜２．６ｋｇのそれぞれ範囲にレンズ重量ＬＷ−Ｗ１の値が入っていないと判断した場合（Ｓ２０２：Ｎｏ）、そのレンズ重量が取り付けられるべきレンズの重量範囲ではないとしてエラー制御処理に移行する（Ｓ２０７）。レンズ重量ＬＷ−Ｗ１が想定される重量範囲である場合（Ｓ２０２：Ｙｅｓ）、制御部３は、次の処理へ移行する。
【００２７】
次に、第２の重量検出部２０は、プロジェクタ１のセット重量値：ＳＷを測定する（Ｓ２０３）。セット重量値：ＳＷは、ＴＯＰカバーＣ１が外れた状態ではセット重量の初期データ：Ｗ２より軽い状態（マイナス方向）の重量になる（図４参照）。しかし、セット重量値：ＳＷが少なくなっていてもレンズが装着された場合には、レンズの重量が加算されるため総重量がＷ２の値の許容範囲内に収まる可能性も考えられる。従ってレンズ部４の重量とセット重量は別々に測定する必要がある。
【００２８】
ここで、セット固定用台座Ｍ（図４参照）分の重量をＭＷとする。プロジェクタ１に取り付け部品がすべて実装されている場合においてプロジェクタ１のセットが持ち上げられた場合、第２の重量検出部２０は、セット固定用台座Ｍ分の重量ＭＷのみの重量を検出する。そのため制御部３は、ＳＷが０＋ＭＷ以下の場合（Ｓ２０４：Ｙｅｓ）、通常処理とするよう制御する（Ｓ２０５）。この場合、制御部３は、光源部２に対して点灯させる制御信号を送信し、光源部２を動作させる。即ち、制御部３は、ＳＷが予め定められた値０＋Ｍ以下であると判断した場合に光源部２を動作させる。
【００２９】
制御部３は、セット重量ＳＷがセット固定台座重量ＭＷより大きい（重い）と判断した場合（Ｓ２０４：Ｎｏ）、セットが固定されている状態と判断し次の処理に移行する（Ｓ２０６）。制御部３は、現在のセット重量ＳＷが、レンズが装着されていないセット重量の初期データＷ２にレンズ重量ＬＷ−Ｗ１を加えた値Ｗ２＋ＬＷ−Ｗ１より少ないと判断した場合（Ｓ２０６：Ｎｏ）、光源部２から光が漏れる虞があるためエラー処理へ移行し（Ｓ２０７）、光源部２に対し制御信号を送信して停止（遮断）させる。
【００３０】
制御部３は、現在のセット重量ＳＷがＷ２＋ＬＷ−Ｗ１の値以上と判断した場合（Ｓ２０６：Ｙｅｓ）、通常処理へ移行する（Ｓ２０５）。この場合、制御部３は、光源部２に対して点灯させる制御信号を送信し、光源部２を動作（点灯）させる。また、プロジェクタ１のモデルによってはレンズを交換する必要のないモデルもある。その場合はレンズ部分の重量検出を行う必要がなくなるため、処理Ａ（Ｓ２００−Ｓ２０２）をスキップし、セット重量検出から行うことでプロジェクタ１の制御処理を共通化してもよい。
【００３１】
上述したように本発明にかかるプロジェクタ１によると、外部に光が漏れないために装着すべき部品の有無を検出し、光源部２を停止させる保護制御によって外部に光が漏れることを未然に防止し、安全性を向上させることが出来る。また、プロジェクタ１は、部品の有無を検出するために圧電素子を用いており、メカニカルスイッチを用いる場合に比して装置構成を簡便にし、かつ、耐久性及び安全性を向上させることができる。そして、プロジェクタ１では、漏れ光の要因となる外装部品の重量を検出しているため、メカニカルスイッチや光学センサを用いる場合に比して部品の破損による誤検出やごみ等における誤検出を防ぐことができる。
【００３２】
さらにまた、本発明にかかるプロジェクタ１によると、予め交換可能なレンズ群の各レンズの重量がわかっている場合に、その範囲にないレンズは異物として光源部２の点灯処理を行わないようにすることもできる。そして、本発明に係るプロジェクタ１によると、レンズ部の重量を検出するため、既存のレンズの本体に加工をする必要がなく、簡便な装置構成とすることができる。
【００３３】
［第２実施形態］
図７に示されるように、プロジェクタ１は、第１実施形態のように床面Ｅに載置される場合の他、天井面Ｒから吊り下げられる場合がある。以下、第１実施形態と同一の構成については同一の名称及び符号を用い、重複する説明については適宜省略する。ここで、レンズ重量検出部１１及びセット重量検出部２１は、ともに圧縮又は引っ張り方向の重量検出に対応しているものとする。図７（ａ）は、プロジェクタ１の側面図が示されている。
【００３４】
図７（ｂ）は、プロジェクタ１の正面図が示されている。天吊り状態にするために、セット固定用台座Ｍは天井面Ｒに固定されている。プロジェクタ１とセット固定用台座Ｍとの間にあるセット重量検出部２１は引っ張り方向で重量検出を行う。第１実施形態と同様にＴＯＰカバーＣ１が外された場合、セット重量検出部２１にかかる荷重は引っ張り方向で軽くなる。セット重量検出部２１は、その重量の変化を測定することができる。本実施形態におけるプロジェクタ１の動作は、第１実施形態と同様である（図６参照）。
【００３５】
［第３実施形態］
図８に示されるように、プロジェクタ１は、ＴＯＰカバーＣ１だけでなく、他の外装部品、例えばＳＩＤＥカバーＣ２，Ｃ３も脱着可能な場合がある。ＳＩＤＥカバーＣ２，Ｃ３が外れた状態では、セット重量検出部２１が測定した重量ＳＷは、初期測定にて保存した重量：Ｗ２にレンズ重量ＬＷ−Ｗ１を加算した値よりＳＩＤＥカバーＣ２，Ｃ３の重量分軽くなる。そのため、プロジェクタ１の処理としては、光源部２から外部に光が漏れると判断されるため、エラー処理（光源停止）に移行する。
【００３６】
［第４実施形態］
上記実施形態ではプロジェクタ１の下部にセット重量検出部２１を配置してセット重量を検出しているが、この他、取り外し可能な部品をそれぞれ個別に測定するように配置し、重量測定するようにしてもよい。
【００３７】
図９に示されるように、プロジェクタ１Ｂでは、セット重量検出部２１の代わりに取り外し可能な部品のＴＯＰカバーＣ１部の重量：Ｓ３のみを測定するようにカバー重量検出部３１を配置する。ＴＯＰカバーＣ１が取り外されている場合は、カバー重量検出部（第３の重量センサ）３１は、重量をほぼ０と検出するため、ＴＯＰカバーＣ１が装着されている場合に対し軽くなる。その結果、制御部３は、処理をエラー処理に移行し、光源を点灯させないようにする。
【００３８】
図１０は、第３の重量検出部であるカバー重量検出部３１を用いた場合において、初期状態を設定する処理を示すフローチャートである。まず、ＵＩ部５から開始条件を入力する（Ｓ４００）。次に、制御部３は、第１の重量検出部１０で検出されたデータを読み出す（Ｓ４０１）。そして、制御部３は、このデータを、レンズ装着前重量Ｗ１として保存する（Ｓ４０２）。これらのステップＳ４００〜Ｓ４０２は、ステップＳ１００〜Ｓ１０２と同様であるため、詳細な説明を省略する。
【００３９】
制御部３は、カバー重量検出部３１で検出されたデータを読み出す。上記の通り、カバー重量検出部３１で検出されたデータは、ＴＯＰカバーＣ１単体の重量である。そして、制御部３は、読み出したデータをカバー重量検出部３１の初期測定値Ｓ０として保存する。すなわち、制御部３は、ＴＯＰカバーＣ１単体の重量を初期測定値Ｓ０としてメモリに記憶する。それぞれのデータが保存された後、初期状態を保存する上記処理は終了する。次に、プロジェクタ１Ｂで常に実行される処理について説明する。
【００４０】
図１１は、カバー重量検出部３１を用いた際のフローチャートである。取り外し可能な部分のみで測定し、レンズ重量は影響しなくなる。制御部３は、現在のＴＯＰカバーＣ１の重量Ｓ３が初期測定値Ｓ０以上であれば（Ｓ３０４：Ｙｅｓ）、エラーのない通常処理とし（Ｓ３０５）、それ以外はエラー処理とする（Ｓ３０６）。現在のＴＯＰカバーＣ１の重量Ｓ３が初期測定値Ｓ０より小さい場合（Ｓ３０４：Ｎｏ）、ＴＯＰカバーＣ１が破損して重量が軽くなっていると判断される。従って、この場合も光源部２から外部に光が漏れる虞があるため、制御部３は、エラー処理とするよう制御する（Ｓ３０６）。
【００４１】
なお、本発明は上記実施の形態に限られたものではなく、趣旨を逸脱しない範囲で適宜変更することが可能である。例えば、制御部３は、Ａ／Ｄ変換された値を読み出し、ソフトウェアで信号制御しているが、例えばコンパレータなどを通し、ある基準電圧以下の場合は光源が点灯しないようにハードウェアで光源制御信号を制御してもよい。これにより、プロジェクタ１は、セットに装着されるレンズ及びＴＯＰカバーＣ１などの装着の有無を検出することが可能となる。そして、プロジェクタ１によって、装着すべき部品がすべて装着されていない場合は、光源部２を制御信号で停止させ、光源を点灯させないという安全装置を実現することができる。
【００４２】
上述の実施形態では、本発明をハードウェアの構成として説明したが、本発明は、これに限定されるものではない。本発明は、任意の処理を、ＣＰＵ（Central Processing Unit）にコンピュータプログラムを実行させることにより実現することも可能である。）
【００４３】
プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（random access memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【符号の説明】
【００４４】
１，１Ｂ          プロジェクタ
２            光源部
３            制御部
４            レンズ部
４ａ，４ｂ，４ｃ      交換用レンズ
４ｇ            レンズ取付部
５            ＵＩ部
６            電源部
１０            重量検出部
１１            レンズ重量検出部
１２            信号増幅部
１３            変換部
２０            重量検出部
２１            セット重量検出部
２２            信号増幅部
２３            変換部
３１            カバー重量検出部
Ｃ１            ＴＯＰカバー
Ｃ２，Ｃ３        ＳＩＤＥカバー
Ｇ            重量検出部
【図１】
2018028613.tif 000003
【図２】
2018028613.tif 000004
【図３】
2018028613.tif 000005
【図４】
2018028613.tif 000006
【図５】
2018028613.tif 000007
【図６】
2018028613.tif 000008
【図７】
2018028613.tif 000009
【図８】
2018028613.tif 000010
【図９】
2018028613.tif 000011
【図１０】
2018028613.tif 000012
【図１１】
2018028613.tif 000013